(57)【要約】      （修正有）【課題】スキャナ部に読み取らせた原稿画像のデータをユーザーにより選択されるモード情報に基づいて処理するにあたり、原画像の読み取りを本スキャンだけですませ、しかもモード選択確定を容易に行えるようにする。【解決手段】スキャナ部における原稿画像の読み取り後に、操作パネルのディスプレイ部に選択可能なモード情報群及び読み取った原稿画像のプレビュー画像を表示させ、且つ、プレビュー画像については表示されたモード情報群から選択されるモード情報を反映したプレビュー画像を表示させ、該モード情報を反映したプレビュー画像に基づいてユーザーが所望モードを選択確定可能とする。【選択図】図８
2011109353.tif 000002
【特許請求の範囲】
【請求項１】
少なくとも、画像データに基づいて記録シート上に画像をプリントできるプリンタ部と、原稿画像を読み取るスキャナ部と、ユーザーによる操作のための操作パネルと、前記プリンタ部、スキャナ部及び操作パネルがそれぞれ接続された、画像処理装置動作を制御するコントローラ部とを含み、前記操作パネルは画面表示を行うディスプレイ部を備えており、前記コントローラ部はメモリ部を含んでいる画像処理装置であって、
前記コントローラ部のメモリ部には前記スキャナ部で読み取った原稿画像のデータの後処理にあたっての複数の、モード設定のためのモード情報が予め登録されており、
該コントローラ部は、前記スキャナ部に読み取らせた原稿画像のデータをユーザーにより選択されるモード情報に基づいて処理するにあたり、前記スキャナ部における原稿画像の読み取り後に、前記操作パネルのディスプレイ部に前記登録されたモード情報群のうちの選択可能なモード情報群及び該読み取った原稿画像のプレビュー画像を表示させ、且つ、プレビュー画像については該表示されたモード情報群から選択されるモード情報を反映したプレビュー画像を表示させることができ、該モード情報を反映したプレビュー画像に基づいてユーザーが所望モードを選択確定することができることを特徴とする画像処理装置。
【請求項２】
前記コントローラ部は、前記スキャナ部で読み込んだ原稿にカラー原稿が含まれていたことを認識した場合には、前記操作パネルのディスプレイ部におけるモード情報群表示にあたり、カラー原稿に関係するモード設定が含まれるモード情報を優先的に表示させる請求項１記載の画像処理装置。
【請求項３】
前記コントローラ部は、前記スキャナ部で読み込んだ原稿のサイズが２種類以上あり、該スキャナ部にはサイズが異なる原稿が混載されていたことを認識した場合は、前記操作パネルのディスプレイ部におけるモード情報群表示にあたり、混載に関係する設定が含まれるモード情報を優先的に表示させる請求項１記載の画像処理装置。
【請求項４】
前記コントローラ部は、前記スキャナ部で読み込んだ原稿のサイズが２種類以上あり、該スキャナ部にはサイズが異なる原稿が混載されていたことを認識した場合は、前記操作パネルのディスプレイ部におけるモード情報群表示にあたり、サイズ混載との組み合わせが禁止されているモードが含まれるモード情報は表示させない請求項１、２又は３記載の画像処理装置。
【請求項５】
前記コントローラ部は、プレビュー画像に反映できない情報については、前記ディスプレイ部に表示されたモード情報群によるモード情報選択時にプレビューのためとは別に設定したフィ−ルドに表示させる請求項１から４のいずれかに記載の画像処理装置。
【発明の詳細な説明】
【技術分野】
【０００１】
本発明は、少なくとも、画像データに基づいて記録シート上に画像をプリントできるプリンタ部と、原稿画像を読み取るスキャナ部と、ユーザーによる操作のためのめの操作パネルと、前記プリンタ部、スキャナ部及び操作パネルがそれぞれ接続された、画像処理装置動作を制御するためのコントローラ部とを含み、前記操作パネルは画面表示を行うディスプレイ部を備えている画像処理装置に関する。
【背景技術】
【０００２】
この種の画像処理装置では、多くの場合、例えば、スキャナ部で読み取った原稿画像のデータに基づいてプリンタ部にプリント出力させるにあたり、予め設定登録された複数のモード〔例えばプリントに用いる記録紙等の記録シートのサイズと向き、原稿画像に対するプリント画像の倍率（変倍）、原稿複数頁分の画像の記録シート１枚への集約プリント等）のうちから操作パネル等において選択されたモードに従って記録紙等の記録シート上にプリント出力できるようにしてある。
【０００３】
このような場合、選択されたモードに従った記録シートへのプリント出力の結果、それに満足できない等によりモードを変更したいときには、もう一度モードを選択し直してスキャナ部に再度原稿画像を読み取らせなければならないということになるのであるが、それでは、記録シートへのプリント出力が無駄になり、記録シート資源を無駄にしてしまうことになる。
【０００４】
そこで、モードが選択されると、スキャナ部に原稿画像の本スキャン前にプレスキャンを行わせて操作パネルの画面表示部に選択モードを反映させたプレスキャン画像を表示させることが提案されている。
この場合、ユーザーはそのプレスキャン画像を見て選択したモードでよければ、そのモードを確定して本スキャンを行わせプリント出力等の処理を行わせることができる。
【０００５】
しかしプレスキャン画像を見た結果、選択したモードを変更したいときには、プレスキャン画像を破棄して、新たにモード選択からやり直さなくてはならない。
このようなことに加え、今日では、最終的な書類仕上がり状態や画像読み込み等に関するモードに関して、たくさんのPSP(Post Scan Process:ビジネススキャニングの設定ファイル情報) やジョププログラムが準備されていることがあり、その場合、ユーザーはその中からその名称や設定を確認してモード選択しなければならず、これらがモード選択を難しくしている。
【０００６】
このような問題に対しては、例えば特開２００３−２５９０５９号公報に、スキャナ部に原稿画像の本スキャン前にプレスキャンを行わせて操作パネルの画面表示部に選択モードを反映させたプレスキャン画像を表示させあとに、そのモードを変更するときには、プレスキャン画像に新たに選択されたモードをリアルタイムに反映させることや、プレスキャン画面に対して原稿の特徴を解析して最も好ましいモードを自動的に設定してプレスキャン画面に反映させ、そのようにして所望のモードを確定し、本スキャンを行わせプリント出力させることが記載されている。
【先行技術文献】
【特許文献】
【０００７】
【特許文献１】特開２００３−２５９０５９号公報
【発明の概要】
【発明が解決しようとする課題】
【０００８】
しかしながら、特開２００３−２５９０５９号公報に記載のモード選択及び確定方法の場合、原稿スキャンはプレスキャンと本スキャンとで行わなければならない。
【０００９】
そこで本発明は、少なくとも、画像データに基づいて記録シート上に画像をプリントできるプリンタ部と、原稿画像を読み取るスキャナ部と、ユーザーによる操作のための操作パネルと、前記プリンタ部、スキャナ部及び操作パネルがそれぞれ接続された、画像処理装置動作を制御するためのコントローラ部とを含み、前記操作パネルは画面表示を行うディスプレイ部を備えている画像処理装置であって、スキャナ部に読み取らせた原稿画像のデータをユーザーにより選択されるモードに応じて処理するにあたり、原稿画像の読み取りスキャンをプレスキャン無しで本スキャンだけで済ませて、しかもモード選択確定を容易に行える画像処理装置を提供することを課題とする。
【課題を解決するための手段】
【００１０】
本発明は、前記課題を解決するため次の画像処理装置を提供する。すなわち、
少なくとも、画像データに基づいて記録シート上に画像をプリントできるプリンタ部と、原稿画像を読み取るスキャナ部と、ユーザーによる操作のための操作パネルと、前記プリンタ部、スキャナ部及び操作パネルがそれぞれ接続された、画像処理装置動作を制御するコントローラ部とを含み、前記操作パネルは画面表示を行うディスプレイ部を備えており、前記コントローラ部はメモリ部を含んでいる画像処理装置であって、
前記コントローラ部のメモリ部には前記スキャナ部で読み取った原稿画像のデータの後処理にあたっての複数の、モード設定のためのモード情報が予め登録されており、
該コントローラ部は、前記スキャナ部に読み取らせた原稿画像のデータをユーザーにより選択されるモード情報に基づいて処理するにあたり、前記スキャナ部における原稿画像の読み取り後に、前記操作パネルのディスプレイ部に前記登録されたモード情報群のうちの選択可能なモード情報群及び該読み取った原稿画像のプレビュー画像を表示させ、且つ、プレビュー画像については該表示されたモード情報群から選択されるモード情報を反映したプレビュー画像を表示させることができ、該モード情報を反映したプレビュー画像に基づいてユーザーが所望モードを選択確定することができる画像処理装置を提供する。
【００１１】
本発明に係る画像処理装置によると、コントローラ部は、スキャナ部に読み取らせた原稿画像のデータをユーザーにより選択されるモード情報に基づいて処理するにあたり、スキャナ部における原稿画像の読み取り後に、操作パネルのディスプレイ部に選択可能なモード情報群及び該読み取った原稿画像のプレビュー画像を表示させ、且つ、プレビュー画像については該表示されたモード情報群から選択されるモード情報を反映したプレビュー画像を表示させる。
【００１２】
従って、ユーザーは、スキャナ部で読み取った原稿画像のデータの後処理にあたってのモード選択を、原稿画像のプレスキャン無しで本スキャンだけで済ませて、しかもモード情報が多数ある場合でも、モード情報を反映したプレビュー画像を確認しながら容易に行い確定することができ、モード設定ミスを抑制することができる。
【００１３】
前記コントローラ部は、前記スキャナ部で読み込んだ原稿にカラー原稿が含まれていたことを認識した場合には、前記操作パネルのディスプレイ部におけるモード情報群表示にあたり、カラー原稿に関係するモード設定が含まれるモード情報を優先的に表示させるものであってもよい。
【００１４】
「カラー原稿に関係するモード設定」としては、「オートカラープリントの設定」や「フルカラープリントの設定」を例示できる。「オートカラープリントの設定」とは、スキャナ部で読み込んだ原稿がカラー原稿か、白黒原稿かを判断し、原稿色に応じてフルカラー又はブラックでプリントする設定である。「フルカラープリントの設定」とは、読み込んだ原稿の色にかかわらずフルカラーでプリントする設定である。
【００１５】
このようにカラー原稿に関係するモード設定が含まれるモード情報を優先的に表示させると、沢山のモード情報の中から、例えばオートカラー、フルカラーの設定が含まれるモード情報が優先的に表示されるため、それだけモード情報選択時のモード情報確認の手間が省け、また、モード設定ミスによる誤出力を抑制することができる。
【００１６】
前記コントローラ部は、前記スキャナ部で読み込んだ原稿のサイズが２種類以上あり、該スキャナ部にはサイズが異なる原稿が混載されていたことを認識した場合は、前記操作パネルのディスプレイ部におけるモード情報群表示にあたり、例えば「混載原稿モード」のごとき混載に関係する設定が含まれるモード情報を優先的に表示させるものであってもよい。
【００１７】
スキャナ部にサイズが異なる原稿が混載されている場合としては、例えばスキャナ部にＡ３サイズ原稿と、Ｂ４サイズ原稿と、Ａ４サイズ原稿とが混じってセットされる場合を挙げることができる。
【００１８】
このように混載に関係する設定が含まれるモード情報を優先的に表示させることで、沢山のモード情報の中からの、モード選択時のモード情報確認の手間がそれだけ省け、また、設定ミスによる誤出力を抑制することができる。
【００１９】
前記コントローラ部は、前記スキャナ部で読み込んだ原稿のサイズが２種類以上あり、該スキャナ部にはサイズが異なる原稿が混載されていたことを認識した場合は、前記操作パネルのディスプレイ部におけるモード情報群表示にあたり、サイズ混載との組み合わせが禁止されているモードが含まれるモード情報は表示させない、或いは表示させるとしても優先順位を落として表示させるものとしてもよい。
【００２０】
「サイズ混載との組み合わせが禁止されているモード」としては、原稿複数ページ分の画像の記録シート１枚への集約プリント、小冊子印刷、中綴じ、中折り、三つ折り等を例示できる。
【００２１】
このようにサイズ混載との組み合わせが禁止されているモードが含まれるモード情報は表示させないようにすることで、或いは表示させるとしても優先順位を落として表示させることで、沢山のモード情報がある場合等において、サイズ混載との組み合わせが禁止されているモードを選択してしまうというようなモード情報選択ミスによる誤出力を抑制することができる。
【００２２】
前記コントローラ部は、プレビュー画像に反映できない情報については、前記ディスプレイ部に表示されたモード情報群によるモード情報選択時にプレビューのためとは別に設定したフィ−ルドに表示させるものであってもよい。
【００２３】
「プレビュー画像に反映できない情報」として宛先などを例示できる。
そのような宛先として、例えばフアクス送信先やＥ−ｍａｉｌ送信先の宛先を例示でき。また、宛先以外ではスキャナ部Ｓで読み取った画像のデータをメモリ部のボックス部へ格納する場合のボックス番号などを挙げることができる。
また、「１部ごとのソート仕分けをする、しない」、「頁ごとのグープ仕分けをする、しない」、「とじしろをつくってコピーするとき、画像位置をシフトさせる、させない」、「画像を回転させてコピーする、しない」、「記録媒体がＯＨＰ用フィルムであり、熱によるフィルム同士の貼りつき防止のため紙をフィルム間に配置して複写を行うＯＨＰ合紙モードである」等の旨の表示も例示できる。
【００２４】
いずれにしても、プレビュー画像に反映できない情報についても、別フィールドに表示できるようにしておけば、モード情報選択時に必要な情報を表示させることができ、それだけモード情報選択ミスによる誤出力を抑制することができる。
【発明の効果】
【００２５】
以上説明したように、本発明によると、少なくとも、画像データに基づいて記録シート上に画像をプリントできるプリンタ部と、原稿画像を読み取るスキャナ部と、ユーザーによる操作のための操作パネルと、前記プリンタ部、スキャナ部及び操作パネルがそれぞれ接続された、画像処理装置動作を制御するためのコントローラ部とを含み、前記操作パネルは画面表示を行うディスプレイ部を備えている画像処理装置であって、スキャナ部に読み取らせた原稿画像のデータをユーザーにより選択されるモードに応じて処理するにあたり、原稿画像の読み取りスキャンをプレスキャン無しで本スキャンだけで済ませて、しかもモード選択確定を容易に行える画像処理装置を提供することができる。
【図面の簡単な説明】
【００２６】
【図１】本発明に係る画像処理装置の１例の構成の概略を示す図である。
【図２】図１の画像処理装置Ａの制御回路の概略を示すブロック図である。
【図３】操作パネルの説明図である。
【図４】操作パネルのディスプレイ部に選択可能なモード情報群及びスキャナ部で読み取った原稿画像のプレビュー画像を表示させるときのコントローラ部の基本動作を示すフローチャートである。
【図５】図４のフローチャート中の原稿情報解析ステップの他の例を示すフローチャートである。
【図６】図４のフローチャート中の原稿情報解析ステップのさらに他の例を示すフローチャートである。
【図７】図４のフローチャート中の原稿情報解析ステップのさらに他の例を示すフローチャートである。
【図８】操作パネルのディスプレイ部によるモード情報群及びプレビュー画像の表示例を示す図である。
【発明を実施するための形態】
【００２７】
以下、本発明の実施形態について図面を参照して説明する。
図１は本発明に係る画像処理装置の１例Ａの正面図である。
図２は図１の画像処理装置Ａの制御回路の概略を示すブロック図である。
図３はこのあと説明する操作パネルＰＡの説明図である。
【００２８】
図１に示す画像処理装置は、スキャナ部Ｓ及びプリンタ部ＰＲを備えており、スキャナ部Ｓで読み取った原稿画像のデータに基づいてプリンタ部ＰＲにプリント出力させる複写機として使用できるものであるが、ファクシミリの送受信機能、コンピュータ等から供給される画像情報に応じてプリントするプリンタ機能、スキャナ部で読み取った画像のデータをＥ−ｍａｉｌ送信する機能、スキャナ部で読み取った画像のデータを内蔵メモリの所定領域（メモリボックス部）に読み出し可能に格納する機能、スキャナ部で読み取った画像のデータを外部メモリに読み出し可能に格納する機能等も併せ持つ。
【００２９】
図１の画像処理装置Ａは、画像データに基づいて記録紙等の記録シート９に画像をプリントできるプリンタ部ＰＲを含んでいる。プリンタ部ＰＲにはその下に記録シート収容カセットＣ１〜Ｃ４を有する部分ＣＳが付設されている。スキャナ部（画像読み取り装置）Ｓはプリンタ部ＰＲの上方に位置している。スキャナ部Ｓはここでは原稿自動搬送装置ＡＤＦを含んでいる。スキャナ部Ｓには操作パネルＰＡが搭載されている。
【００３０】
図１には示していないが図２に示すように、画像処理装置Ａは画像処理装置各部の動作を制御するコントローラ部ＣＮを有している。
プリンタ部ＰＲ、スキャナ部Ｓ及び操作パネルＰＡはコントローラ部ＣＮに接続されている。コントローラ部ＣＮには、ユーザーの認証を行う認証装置ＩＤ及び通信インターフエース部Ｉ／Ｆも接続されている。
【００３１】
プリンタ部ＰＲは、本例では電子写真方式により記録紙等の記録媒体９上にトナー画像を形成するものである。本例のプリンタ部ＰＲは、イエロー画像形成部Ｙ、マゼンタ画像形成部Ｍ、シアン画像形成部Ｃ及びブラック画像形成部Ｋを中間転写ベルト４に沿って配列したタンデム型のカラープリンタ部である。
【００３２】
画像形成部Ｙ、Ｍ、Ｃ、Ｋのそれぞれは、本例では、回転駆動可能の感光体１１の周囲に帯電器（図示省略）、画像露光装置（図示省略）、現像器（図示省略）、１次転写ローラ２及びクリーニング装置（図示省略）を配置したものであり、それ自体既に知られているものである。
【００３３】
各画像形成部においては、図１中時計方向回りに回転駆動される感光体１１の表面を帯電器で所定電位に帯電させ、その帯電域に、入力されてくる画像データに基づいて画像露光装置から画像露光を施して静電潜像を形成し、この潜像を担当色トナーを収容した現像器の現像ローラで現像バイアスのもとに現像して可視トナー像とし、このトナー像を１次転写電圧が印加さた１次転写ローラ２でベルト４上に１次転写することができる。感光体１１上の転写残トナー等はクリーニング装置により除去清掃される。
【００３４】
このトナー像の１次転写にあたって、転写ベルト４は図１中、反時計方向（矢印α方向）に回転駆動される。ベルト４上に重ねて１次転写された多重トナー像はいずれかのカセットから供給される記録シート（記録紙等）９に２次転写電圧が印加された２次転写ローラ５で２次転写できる。
【００３５】
記録シート９に２次転写されたトナー像は、定着装置７で加熱加圧下に記録媒シート９上に定着され、この記録シート９は排出ローラ８にて排出トレイＴに排出される。ベルト４上の転写残トナー等はクリーニング装置４０にて除去清掃される。
【００３６】
以上、Ｙ〜Ｋの四つの画像形成部を用いて記録シート９にフルカラートナー像をプリンとする例を説明したが、プリンタ部ＰＲは、いずれかの画像形成部を用いてモノクロ画像を形成することもできるし、いずれか二つ又は三つの画像形成部を用いてカラー画像形成することもできる。
【００３７】
次にスキャナ部Ｓについて説明すると、スキャナ部Ｓにおける原稿搬送装置ＡＤＦは開閉可能で、スキャナ部Ｓ本体の原稿載置台であるガラス板ｇ１上に配置される原稿を覆うカバーを兼ねている。
【００３８】
スキャナ部Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中でスキャナ部Ｓの原稿流し撮り用ガラス板ｇ２に沿って移動する原稿の画像を光学的に読み取ることもできる。
【００３９】
スキャナ部Ｓで読み取られた画像のデータは、
(1) プリンタ部ＰＲへ送られ、そこでの画像形成に供されるか、
(2) コントローラ部に内蔵されているメモリの所定記録領域（メモリボックス部）Ｍに格納されるか、
(3) 通信インターフエース部Ｉ／Ｆを介してコントローラ部に外付けされた外部記録媒体（図示省略）の所定記録領域に格納されるか、
(4) フアクシミリ送信或いはＥ−ｍａｉｌ送信に供されるなどする。
【００４０】
いずれにしてもプリンタ部ＰＲやスキャナ部Ｓは、操作パネルＰＡからのキー入力等及びコントローラ部ＣＮの指示に基づいて、或いは操作パネルＰＡからの入力に基づかない（例えば外部コンピュータからの画像データ入力に起因する）コントローラ部ＣＮの指示に基づいて動作する。操作パネルＰＡのディスプレイ部Ｄの表示もコントローラ部ＣＮの制御下に行われる。
なお、通信インターフエース部Ｉ／Ｆを介して外部コンピュータ等からコントローラ部ＣＮに入力される画像データはコントローラ部ＣＮの指示のもとに例えばプリンタ部ＰＲによるプリント出力が可能であり、外部から入力されるＦＡＸデータも同様にプリンタ部ＰＲによるプリント出力が可能である。
【００４１】
認証装置ＩＤは、本例ではユーザー専用のＩＣカードを用いて認証を行い、ログインを許可するものであり、認証をログイン条件として設定してあるときは、この認証装置ＩＤでログインすればよい。認証装置は生体認証方式等の他の認証方式により認証するものであってもよい。
【００４２】
通信インターフエース部Ｉ／Ｆは外部コンピータと接続するためのネットワーク接続部、ＵＳＢ接続部、ＦＡＸ用電話回線接続部等を含んでいる。
【００４３】
次に操作パネルＰＡについて説明する。
操作パネルＰＡには、図３に示すように、
(1) プリンタ部ＰＲによるプリント動作の開始等の各種動作開始を指示するスタートキーＳＫ、
(2) プリント枚数の設定等のためのテンキー１０Ｋ及び
(3) 画面表示を行うディスプレイ部Ｄ等が設けられている。
【００４４】
ディスプレイ部Ｄは、本例では液晶表示によりユーザによるキー操作を反映表示したり、ユーザへの指示メニューを表示したり、プリンタ部ＰＲ等からの情報を表示したりする等に用いられる。また、ディスプレイ部Ｄは画面に表示されるキー等を画面上でタッチすることで指示等を行えるタッチパネル方式のディスプレイ部である。
なお、ディスプレイ部は液晶表示方式のものに限定されることはなくプラズマ表示方式等の他のタイプの視認可能のディスプレイ部でもよい。
【００４５】
操作パネルＰＡは、前記のスタートキーＳＫ、テンキー１０Ｋ、ディスプレイ部Ｄのほか、この画像処理装置Ａが実行できるモードに対応して次の四つのキーを備えている。
(a) スキャナ部Ｓで読み取った原稿画像のデータを内蔵メモリボックス部Ｍ或いは通信インターフエース部Ｉ／Ｆを介して外部メモリに格納することができるモードを選択するボックスキーＫ１、
(b) スキャナ部Ｓで読み取った原稿画像のデータを通信インターフエース部Ｉ／Ｆを介して外部へファクシミリ送信することができるモードを選択するＦＡＸキーＫ２、
(c) スキャナ部Ｓで読み取った原稿画像のデータに基づいてプリンタ部ＰＲにプリント出力させることができるコピーモードを選択するためのコピーキーＫ３、
(d) スキャナ部Ｓで読み取った原稿画像のデータを通信インターフエース部Ｉ／Ｆを介してＥ−ｍａｉｌ送信することができるモードを選択するためのＥ−ｍａｉｌキーＫ４である。
【００４６】
ここで、(a) 項の「メモリボックス部」とは、スキャナ部Ｓで読み取った原稿画像のデータを格納（記憶）させておく、コントローラ部ＣＮにおけるメモリ中の領域Ｍのことである。
【００４７】
これらキーによりモードが選択されると、選択されたモードに対応する画面がディスプレイ部Ｄに表示され、そのタッチパネル方式の画面を用いてさらに必要な入力を行える。  例えばコピーキーＫ３によりコピーモードを選択すると、ディスプレイ部Ｄにはプリント色（白黒プリント、オートカラープリント、フルカラープリント、２色プリントなど）を選択するためのキー、記録シートのサイズや向きを選択するためのキー、複写倍率を設定するためのキー、原稿２頁分の画像を１枚の記録シートに２ｉｎ１出力するモード等の集約モードを選択指定するためのキー等のキー群が表示される。
【００４８】
これら画面表示されたキーを用いて種々のコピーモードを個々的に選択指定できる。そして、スタートキーＳＫ操作により、スキャナ部Ｓに予めセットしておいた原稿画像を読み取らせ、その画像を選択指定したコピーモードでプリンタ部ＰＲにおいて記録シートにプリント出力させることができる。
【００４９】
また、図面には示していないが、この画像処理装置Ａでは、コピーキーＫ３によりコピーモードを選択すると、ディスプレイ部Ｄに前記の各種キーのほか「モード選択キー」も表示される。この「モード選択キー」は、スキャナ部Ｓに原稿画像を本スキャンさせ、本スキャンで読み取った画像のデータを処理するにあたってのモードを後述する図８に示すディスプレイＤに表示される画面を用いて選択決定するためのモードを設定するためのキーである。
なお、「モード選択キー」は前記のキーＫ１〜Ｋ４などと同様にハードキーとして設けてもよい。
【００５０】
画像処理装置Ａでは、図２に示すように、コントローラ部ＣＮのメモリに、スキャナ部Ｓで読み取った原稿画像のデータの後処理にあたっての複数の、モード設定のためのモード情報（モード設定情報）が予め登録されている。
本例ではこの「モード情報」として、多くのPSP(Post Scan Process:ビジネススキャニングの設定ファイル情報) やジョププログラムなどが登録されている。なお、登録しておくモード情報はこれらに限定されるものではない。画像処理装置の用途や設置環境等に応じたものとすればよい。
【００５１】
例えばコピーキーＫ３によりコピーモードを選択し、それによりディスプレイ部Ｄに現れる画面において前記の「モード選択キー」を操作してスタートキーＳＫを操作し、スキャナ部Ｓにおいてそこに予めセットしておいた原稿画像を読み取らせると、コントローラ部ＣＮは、その読み取り原稿画像のデータの後処理のための、前記メモリに登録された選択可能のモード情報群（モード情報１、モード情報２、モード情報３、・・・・）とともに、該読み取った原稿画像のプレビュー画像をディスプレイ部Ｄに表示させる。
【００５２】
図８はそのときのディスプレイ部Ｄの画面例を示している。図８に示すようにディスプレイ部Ｄの画面には、複数のモード情報群（モード情報１、モード情報２、・・・モード情報ｎ）とともに、表示されたモード情報群からユーザーにより選択されるモード情報を反映したプレビュー画像が表示される。なお、最初に表示されるプレビュー画像は表示第１順位のモード情報１を反映したものである。
【００５３】
図４は操作パネルＰＡのディスプレイ部Ｄに、選択可能なモード情報群及びスキャナ部Ｓで読み取った原稿画像のプレビュー画像を表示させるときのコントローラ部ＣＮの基本動作を示している。
【００５４】
図４に示すように、スキャナ部Ｓにセットされた原稿の画像をスキャナ部Ｓに読み取らせ（ステップＳ１）、読み取った原稿画像のデータから原稿情報を解析し（Ｓ２）、ディスプレイ部Ｄに解析結果から導き出される選択可能のモード情報群を表示させるとともに該モード情報群から選択されるモード情報を反映したプレビュー画像を表示させる（ステップＳ４、Ｓ５、Ｓ６）。
【００５５】
かくしてユーザーは、スキャナ部Ｓで読み取った原稿画像のデータの後処理にあたってのモード選択を、原稿画像のプレスキャン無しで本スキャンだけで済ませて、しかもモード情報が多数あっても、モード情報を反映したプレビュー画像を確認しながら所望モードを容易に選択確定することができ、モード設定ミスを抑制することができる。
【００５６】
なお、モード情報を反映したプレビュー画像を確認しながら所望モードを確定するときには、本例では図８に示されている画面上の「０Ｋ」ボタンにタッチすればよい。表示されたプレビュー画像が所望のものでないときは、ステップＳ４に戻り、新たに、モード情報群から別のモード情報を選択してその情報を反映したプレビュー画像を表示させ、必要に応じ、この操作を繰り返して所望のモード情報を選択確定することができる。かくしてコントローラ部ＣＮは、このようにして選択確定されるモードでプリンタ部ＰＲに原稿画像をプリント出力させることができる。
【００５７】
画像処理装置Ａでは、コピーキーＫ３以外のキーＫ１等で選択されるモードにおいても、コピーモードを選択するときと同様に、ディスプレイ部Ｄに、「本スキャンの後に図８に示すような画面を表示させてモード情報を選択できるようにする」というモードを選択するための「モード選択キー」を表示させ、それにより原稿を本スキャンして図８に示すようなモード情報群とプレビュー画像を表示させ、モード情報を反映したプレビュー画像を確認しながら所望モードを容易に選択確定することができるようにしてあってもよい。    
【００５８】
そうすれば、例えば、ボックスキーＫ１によりスキャンｔｏボックスモードが選択されたとき、コントローラ部ＣＮは、メモリボックス部Ｍに読み出し可能に格納する画像データの状態を所望のモード情報のものとし、事後に該メモリボックス部からその画像データを読み出して所望のモード情報でプリンタ部ＰＲにプリント出力させたり、通信インターフエース部Ｉ／Ｆを介して外部へそのデータを発信したりできる。
【００５９】
コントローラ部ＣＮは、図４のフローチャートにおける原稿情報解析ステップＳ２において、図５に示すように、原稿情報解析（Ｓ２１）の結果、スキャナ部Ｓで読み込んだ原稿にカラー原稿が含まれていることを認識した場合には（ステップＳ２２）、操作パネルＰＡのディスプレイ部Ｄにおけるモード情報群表示にあたり、「オートカラープリントの設定」や「フルカラープリントの設定」等のカラー原稿に関係する設定が含まれるモード情報の有無を検索し（Ｓ２３）、そのようなモード情報があればモード情報群の並び変えを行い（Ｓ２４）、メインルーチンへ戻って、カラー原稿に関係する設定が含まれるモード情報を表示順位を上げて優先的に表示する状態でモード情報表示を行わせる（ステップＳ３）。
【００６０】
かくして、沢山のモード情報の中から、オートカラーやフルカラーの設定が含まれるモード情報が優先的に表示されるため、それだけモード情報選択時のモード情報確認の手間が省け、また、モード設定ミスによる誤出力を抑制することができる。
【００６１】
コントローラ部ＣＮは、図４のフローチャートにおける原稿情報解析ステップＳ２において、図６に示すように、原稿情報解析（Ｓ２１１）の結果、スキャナ部Ｓで読み込んだ原稿に原稿サイズが２種類以上あり、スキャナ部Ｓにはサイズが異なる原稿が混載されていたことを認識した場合は（Ｓ２２１）、操作パネルＰＡのディスプレイ部Ｄにおけるモード情報群表示にあたり、混載に関係する設定が含まれるモード情報の有無を検索し（Ｓ２３１）、そのようなモード情報（例えば「混載原稿モード情報」）があればモード情報群の並び変えを行い（Ｓ２４１）、メインルーチンへ戻って、混載原稿に関係する設定が含まれるモード情報を表示順位を上げて優先的に表示する状態でモード情報表示を行わせるものであってもよい。
【００６２】
このように混載に関係する設定が含まれるモード情報（例えば「混載原稿モード」）を優先的に表示させることで、沢山のモード情報の中からの、モード選択時のモード情報確認の手間がそれだけ省け、また、設定ミスによる誤出力を抑制することができる。
【００６３】
スキャナ部Ｓにサイズが異なる原稿が混載されている場合としては、例えばスキャナ部ＳにＡ３サイズ原稿と、Ｂ４サイズ原稿と、Ａ４サイズ原稿とが混じってセットされる場合を挙げることができる。
【００６４】
(1) スキャナ部Ｓで読み取る原稿にカラー原稿が含まれているときはカラー原稿に関係する設定を含むモード情報を優先的に表示すること、                                  (2) スキャナ部Ｓで読み取る原稿が混載原稿であるときに混載に関する設定を含むモード情報を優先的に表示すること
の双方を採用する場合、いずれをより優先的に表示させるかについては、いずれでもよいが、カラー原稿に関係する設定を含むモード情報をより優先的に表示する場合を例示できる。
【００６５】
またコントローラ部ＣＮは、図４のフローチャートにおける原稿情報解析ステップＳ２において、図７に示すように、原稿情報解析（Ｓ２１２）の結果、スキャナ部Ｓで読み込んだ原稿に原稿サイズが２種類以上あり、スキャナ部Ｓにはサイズが異なる原稿が混載されていたことを認識した場合は（Ｓ２２２）、操作パネルＰＡのディスプレイ部Ｄにおけるモード情報群表示にあたり、サイズ混載との組み合わせが禁止されているモード情報の有無を検索し（Ｓ２３２）、そのようなモード情報があればモード情報群の並び変えを行い（Ｓ２４２）、メインルーチンでのモード情報表示（Ｓ３）にあたり、サイズ混載との組み合わせが禁止されているモードが含まれるモード情報は表示させない、或いは表示させるとしても優先順位を落として表示させるものであってもよい。
【００６６】
「サイズ混載との組み合わせが禁止されているモード」としては、原稿複数ページ分の画像の記録シート１枚への集約プリント、小冊子印刷、中綴じ、中折り、三つ折り等を例示できる。
【００６７】
このようにサイズ混載との組み合わせが禁止されているモードが含まれるモード情報は表示させないようにする、或いは表示させるとしても優先順位を落として表示させることで、沢山のモード情報がある場合等において、サイズ混載との組み合わせが禁止されているモードを選択してしまうというようなモード情報選択ミスによる誤出力を抑制することができる。
【００６８】
コントローラ部ＣＮは、プレビュー画像に反映できない情報については、ディスプレイ部Ｄに表示されたモード情報群によるモード情報選択時にプレビューのためとは別に設定したフィ−ルドに表示させるものであってもよい（図８参照）。
【００６９】
「プレビュー画像に反映できない情報」として宛先などを例示できる。
そのような宛先として、例えばフアクス送信先やＥ−ｍａｉｌ送信先の宛先を例示でき。また、宛先以外ではスキャナ部Ｓで読み取った画像のデータをメモリ部のボックス部へ格納する場合のボックス番号などを挙げることができる。
【００７０】
いずれにしても、プレビュー画像に反映できない情報についても、別フィールドに表示できるようにしておけば、モード情報選択時に必要な情報を表示させることができ、それだけモード情報選択ミスによる誤出力を抑制することができる。
【００７１】
以上の説明では、例えばコピーキーＫ３を押すと、ディスプレイ部Ｄに従来と同様の画面が表示され、その中に前記の「モード選択キー」も表示されるようにしているが、コピーキーＫ３を押してコピーモードを選択し、スキャナ部Ｓに搭載した原稿をスタートキーＳＫを押してスキャンすると、ディスプレイ部Ｄに図８に示すようなモード情報１、モード情報２、モード情報３・・・から所望モードを選択決定できる画面が表示されるようにしてもよい。また、例えばその画面或いは他の適当な所に、従来同様の、カラープリントか、モノクロプリントか等を選択できる画面を表示させるためのキーを設けてもよい。
【００７２】
以上説明した画像形成装置Ａにおけるプリンタ部ＰＲは、電子写真方式のタンデム型のカラープリンタ部であったが、プリンタ部は、定位置の感光体上の静電潜像を現像する現像位置へそれぞれが担当色トナーを保持した複数の現像器が順次位置することができる４サイクル型等のサイクル型カラープリンタ部等であってもよい。
さらにプリンタ部は静電記録方式等の他の方式のプリンタ部であってもよい。
【産業上の利用可能性】
【００７３】
本発明は、少なくとも、プリンタ部、スキャナ部及び操作パネルを有する画像処理装置であって、画像の読み取りスキャンをプレスキャン無しで本スキャンだけで済ませて、しかもモード選択確定を容易に行える画像処理装置を提供することに利用できる。
【符号の説明】
【００７４】
Ａ  画像形成装置
Ｓ  スキャナ部
ＡＤＦ  原稿自動搬送装置
ＰＡ  操作パネル
Ｋ  スタートキー
１０Ｋ  テンキー
Ｋ１  ボックスキー
Ｋ２  ＦＡＸキー
Ｋ３  コピーキー
Ｋ４  Ｅ−ｍａｉｌキー
Ｄ  液晶ディスプレイ部
ＰＲ  プリンタ部
Ｙ  イエロー画像形成部
Ｍ  マゼンタ画像形成部
Ｃ  シアン画像形成部
Ｋ  ブラック画像形成部
１１  感光体
２  １次転写ローラ
４  中間転写ベルト
４０  クリーニング装置
５  ２次転写ローラ
７  定着装置
９  記録媒体（記録紙等）
Ｔ  排出トレイ
ＣＮ  コントローラ部
Ｍ  メモリボックス部
ＩＤ  認証装置
Ｉ／Ｆ  通信インターフエース部
【図１】
2011109353.tif 000003
【図２】
2011109353.tif 000004
【図３】
2011109353.tif 000005
【図４】
2011109353.tif 000006
【図５】
2011109353.tif 000007
【図６】
2011109353.tif 000008
【図７】
2011109353.tif 000009
【図８】
2011109353.tif 000010